(57)【要約】【課題】  個人対個人のチャリティオークションを利用し、安全確実に電子決済サーバの利用者を獲得することができるチャリティオークションシステム及び利用者獲得方法を提供する。【解決手段】  本発明のチャリティオークションシステムは、出品情報を送信する出品側端末（ＰＣ）３０Ａと、落札情報（入札情報）を送信する落札側端末（携帯電話）３０Ｂと、出品側端末３０Ａからの出品情報を保管し落札側端末３０Ｂに当該出品情報を提供すると共に、落札側端末３０Ｂからの落札情報を処理し当該落札結果を出品側端末３０Ａ及び落札側端末３０Ｂに提供してネットワーク上でチャリティオークションを行うオークションサーバ２０と、チャリティオークションへの出品及び落札に応じた決済処理を行う決済サーバ１０と、コンピュータネットワーク５０と、プロバイダ４０Ａ，４０Ｂと、を備える。【選択図】  図１
2006202161.tif 000002
【特許請求の範囲】
【請求項１】
チャリティオークションへの出品情報を送信する出品側端末と、チャリティオークションへの落札情報を送信する落札側端末と、前記出品側端末からの出品情報を保管し前記落札側端末に当該出品情報を提供すると共に、前記落札側端末からの落札情報を処理し当該落札結果を前記出品側端末及び前記落札側端末に提供するオークションサーバと、チャリティオークションへの出品及び落札に応じた決済を行う電子決済サーバと、前記出品側端末、前記落札側端末、前記オークションサーバ及び前記決済サーバを通信可能に接続するネットワークと、を備えるチャリティオークションシステムであって、
前記オークションサーバは、
前記出品側端末からの出品要求に応じて出品者の会員登録の有無を確認し、会員未登録の場合には前記決済サーバへの口座登録の完了に応じて会員登録を許可し、会員登録者からの出品情報をチャリティオークションに登録して掲載し、且つ、前記落札側端末からの落札要求に応じて落札者の会員登録の有無を確認し、会員未登録の場合には前記決済サーバへの口座登録の完了に応じて会員登録を許可し、会員登録者からの落札情報をチャリティオークションに登録し、オークション結果を前記落札側端末に通知し、前記決済サーバからの入金情報に応じて前記出品側端末にオークション結果を通知し、
前記電子決済サーバは、
前記出品側端末及び／又は前記落札側端末からの口座登録要求に応じて口座登録を行い、前記落札側端末からの入金要求に応じて入金処理を行い、前記オークションサーバへ入金結果を通知する、
ことを特徴とするチャリティオークションシステム。
【請求項２】
前記出品側端末及び／又は前記落札側端末への通知は、電子メールによって行う、ことを特徴とする請求項１記載のチャリティオークションシステム。
【請求項３】
前記出品情報の登録及び掲載はＷｅｂページによって行う、ことを特徴とする請求項１または２記載のチャリティオークションシステム。
【請求項４】
前記入金要求は入金用Ｗｅｂページによって行う、ことを特徴とする請求項１から３何れか記載のチャリティオークションシステム。
【請求項５】
前記入金用Ｗｅｂページは、入金案内電子メールに当該ＷｅｂページのＵＲＬを記載することによって前記落札側端末に通知する、ことを特徴とする請求項４記載のチャリティオークションシステム。
【請求項６】
前記入金案内電子メールは、該当するオークションを特定するためのオークションＩＤを含み、前記オークションサーバ又は前記決済サーバから前記落札側端末に送信される、ことを特徴とする請求項５記載のチャリティオークションシステム。
【請求項７】
前記ネットワークは、インターネット又はイントラネットである、
ことを特徴とする請求項１から６何れか記載のチャリティオークションシステム。
【請求項８】
前記出品側端末及び前記落札側端末は、携帯電話、ＰＣ、または携帯通信機器の何れかである、ことを特徴とする請求項１から７何れか記載のチャリティオークションシステム。
【請求項９】
前記入金処理は、落札者の口座からオークションサーバ提供者の口座への入金処理または落札者のクレジットカードによる決済処理である、ことを特徴とする請求項１から８何れか記載のチャリティオークションシステム。
【請求項１０】
出品側端末と、落札側端末と、オークションサーバと、電子決済サーバと、前記出品側端末、前記落札側端末、前記オークションサーバ及び前記決済サーバを通信可能に接続するネットワークと、を備えるチャリティオークションシステムにおいて決済サーバの利用者を獲得する方法であって、
（Ａ）オークションサーバにおいて、前記出品側端末からの出品要求に応じて出品者の会員登録の有無を確認し、
（Ｂ）会員未登録の場合には、前記出品側端末へ通知すると共に、前記出品側端末からオークションサーバへの会員登録要求に応じてオークションサーバ及び決済サーバへの口座登録を行い、
（Ｃ）会員登録者からの出品情報をチャリティオークションに登録して掲載し、
（Ｄ）前記落札側端末からの落札要求に応じて落札者の会員登録の有無を確認し、
（Ｅ）会員未登録の場合には、前記落札側端末へ通知すると共に、前記落札側端末からオークションサーバへの会員登録要求に応じてオークションサーバ及び決済サーバへの口座登録を行い、
（Ｆ）会員登録者からの落札情報をチャリティオークションに登録し、
（Ｇ）オークション結果を前記落札側端末に通知し、
（Ｈ）決済サーバにおいて、前記落札側端末からの入金要求に応じて入金処理を行い、
（Ｉ）前記オークションサーバへ入金結果を通知し、
（Ｊ）オークションサーバにおいて、前記決済サーバからの入金情報に応じて前記出品側端末にオークション結果を通知する、
ことを特徴とする、電子決済サーバの利用者を獲得する方法。
【請求項１１】
前記ステップ（Ｂ）、（Ｅ）、（Ｇ）及び（Ｊ）は、前記出品側端末及び／又は前記落札側端末への通知を、電子メールによって行う、ことを特徴とする請求項１０記載の方法。
【請求項１２】
前記ステップ（Ｃ）は、前記出品情報の登録及び掲載をＷｅｂページによって行う、ことを特徴とする請求項１０または１１記載の方法。
【請求項１３】
前記ステップ（Ｈ）は、前記入金要求を入金用Ｗｅｂページによって行う、ことを特徴とする請求項１０から１２何れか記載の方法。
【請求項１４】
前記ステップ（Ｈ）における前記入金用Ｗｅｂページは、入金案内電子メールに当該ＷｅｂページのＵＲＬを記載することによって前記落札側端末に通知する、ことを特徴とする請求項１３記載の方法。
【請求項１５】
前記ステップ（Ｈ）における前記入金案内電子メールは、該当するオークションを特定するためのオークションＩＤを含み、前記オークションサーバ又は前記決済サーバから前記落札側端末に送信される、ことを特徴とする請求項１４記載の方法。
【請求項１６】
前記ステップ（Ｈ）における前記入金処理は、落札者の口座からオークションサーバ提供者の口座への入金処理または落札者のクレジットカードによる決済処理である、ことを特徴とする請求項１０から１５何れか記載の方法。
【発明の詳細な説明】
【技術分野】
【０００１】
本発明は、ネットワーク上で個人対個人のチャリティオークションの場を提供するチャリティオークションシステム及び利用者獲得方法に関する。特には、安全確実に電子決済サーバの利用者を獲得することができるチャリティオークションシステム及び利用者獲得方法に関する。
【背景技術】
【０００２】
本願出願人が出願した特許公開２００１−１５１８７９号公報には、ネットワーク上で決済処理行を行うシステム及び方法が記載されている。これにより、パソコンや携帯電話などからインターネットを利用して、安全に総合振込・給与振込・口座振替・都度振込・残高照会・入出金明細照会などができる。
【０００３】
このような決済サーバにおいては、セキュリティ性が非常に高く、ネットワーク上で安全且つ確実に低コストで決済処理行を行うことができる。
【特許文献１】特許公開２００１−１５１８７９号公報
【発明の開示】
【発明が解決しようとする課題】
【０００４】
ここで、上述したような決済サーバを利用するためには、決済サーバへの口座開設が必要となる。このとき、決済サーバ側では口座開設者の身元調査確認を行う必要がある。一方、チャリティオークションにおいては、利益を目的としないオークションであるため、インターネット上で多発している取り込み詐欺などを行う者が参加する可能性がない。よって、チャリティオークションの参加者を決済サーバの利用者として獲得すれば、口座開設者の身元調査の確認際に、不具合が生じる可能性が非常に低くなる。
【０００５】
従って、本発明の目的は、個人対個人のチャリティオークションを利用し、出品者が手持ちの品物を出品し落札者がそれを落札するだけで容易に手間無く募金をすることができ、且つ、安全確実に電子決済サーバの利用者を獲得することができるチャリティオークションシステム及び利用者獲得方法を提供することである。
【課題を解決するための手段】
【０００６】
上記課題を解決するため、本発明のチャリティオークションシステムは、チャリティオークションへの出品情報を送信する出品側端末と、チャリティオークションへの落札情報を送信する落札側端末と、出品側端末からの出品情報を保管し落札側端末に当該出品情報を提供すると共に、落札側端末からの落札情報を処理し当該落札結果を出品側端末及び落札側端末に提供するオークションサーバと、チャリティオークションへの出品及び落札に応じた決済を行う電子決済サーバと、出品側端末、落札側端末、オークションサーバ及び決済サーバを通信可能に接続するネットワークと、を備えるチャリティオークションシステムであって、オークションサーバは、出品側端末からの出品要求に応じて出品者の会員登録の有無を確認し、会員未登録の場合には決済サーバへの口座登録の完了に応じて会員登録を許可し、会員登録者からの出品情報をチャリティオークションに登録して掲載し、且つ、落札側端末からの落札要求に応じて落札者の会員登録の有無を確認し、会員未登録の場合には決済サーバへの口座登録の完了に応じて会員登録を許可し、会員登録者からの落札情報をチャリティオークションに登録し、オークション結果を落札側端末に通知し、決済サーバからの入金情報に応じて出品側端末にオークション結果を通知し、電子決済サーバは、出品側端末及び／又は落札側端末からの口座登録要求に応じて口座登録を行い、落札側端末からの入金要求に応じて入金処理を行い、オークションサーバへ入金結果を通知する、ことを特徴とする。これにより、オークションサーバ側で決済処理をほとんど考慮する必要がなく、また、電子決済サーバが口座開設者の獲得を容易に行うことができる。
【０００７】
ここで、出品側端末及び／又は落札側端末への通知は、電子メールによって行う、ことができる。
【０００８】
また、出品情報の登録及び掲載はＷｅｂページによって行う、ことができ、入金要求は入金用Ｗｅｂページによって行う、ことができる。ここで、入金用Ｗｅｂページは、入金案内電子メールに当該ＷｅｂページのＵＲＬを記載することによって落札側端末に通知し、入金案内電子メールは、該当するオークションを特定するためのオークションＩＤを含み、オークションサーバ又は決済サーバから落札側端末に送信される。
【０００９】
また、ネットワークは、インターネット又はイントラネットである、ことができ、出品側端末及び落札側端末は、携帯電話、ＰＣ、または携帯通信機器の何れかである、ことができる。
【００１０】
また、入金処理は、落札者の口座からオークションサーバ提供者の口座への入金処理または落札者のクレジットカードによる決済処理である、こととする。
【００１１】
また、上記課題を解決するため、本発明の利用者獲得方法は、出品側端末と、落札側端末と、オークションサーバと、電子決済サーバと、出品側端末、落札側端末、オークションサーバ及び決済サーバを通信可能に接続するネットワークと、を備えるチャリティオークションシステムにおいて決済サーバの利用者を獲得する方法であって、（Ａ）オークションサーバにおいて、出品側端末からの出品要求に応じて出品者の会員登録の有無を確認し、（Ｂ）会員未登録の場合には、出品側端末へ通知すると共に、出品側端末からオークションサーバへの会員登録要求に応じてオークションサーバ及び決済サーバへの口座登録を行い、（Ｃ）会員登録者からの出品情報をチャリティオークションに登録して掲載し、（Ｄ）落札側端末からの落札要求に応じて落札者の会員登録の有無を確認し、（Ｅ）会員未登録の場合には、落札側端末へ通知すると共に、落札側端末からオークションサーバへの会員登録要求に応じてオークションサーバ及び決済サーバへの口座登録を行い、（Ｆ）会員登録者からの落札情報をチャリティオークションに登録し、（Ｇ）オークション結果を落札側端末に通知し、（Ｈ）決済サーバにおいて、落札側端末からの入金要求に応じて入金処理を行い、（Ｉ）オークションサーバへ入金結果を通知し、（Ｊ）オークションサーバにおいて、決済サーバからの入金情報に応じて出品側端末にオークション結果を通知する、ことを特徴とする。
【００１２】
ここで、ステップ（Ｂ）、（Ｅ）、（Ｇ）及び（Ｊ）は、出品側端末及び／又は落札側端末への通知を、電子メールによって行う、ことができる。
【００１３】
また、ステップ（Ｃ）は、出品情報の登録及び掲載をＷｅｂページによって行う、ことができる。
【００１４】
ここで、ステップ（Ｈ）は、前記入金要求を入金用Ｗｅｂページによって行い、入金用Ｗｅｂページは、入金案内電子メールに当該ＷｅｂページのＵＲＬを記載することによって落札側端末に通知し、入金案内電子メールは、該当するオークションを特定するためのオークションＩＤを含み、オークションサーバ又は決済サーバから落札側端末に送信される、ことができる。
【００１５】
また、ステップ（Ｈ）における入金処理は、落札者の口座からオークションサーバ提供者の口座への入金処理または落札者のクレジットカードによる決済処理である、ようにする。
【発明の効果】
【００１６】
本発明のチャリティオークションシステム、利用者獲得方法及びプログラムによれば、チャリティオークションにおいては、利益を目的としないオークションであるため、インターネット上で多発している取り込み詐欺などを行う者が参加する可能性がない。よって、チャリティオークションの参加者を決済サーバの利用者として獲得すれば、口座開設者の身元調査の確認際に、不具合が生じる可能性が非常に低くなり、個人対個人のチャリティオークションを利用し、安全確実に電子決済サーバの利用者を獲得することができる。また、出品者が手持ちの品物を出品し落札者がそれを落札するだけで容易に手間無く募金をすることができる。
【発明を実施するための最良の形態】
【００１７】
以下、図面を参照して本発明のチャリティオークションシステム及び利用者獲得方法の実施の形態を説明する。
【００１８】
図１は、本発明のチャリティオークションシステムの一形態を示す図である。このチャリティオークションシステムは、チャリティオークションへの出品情報を送信する出品側端末（ＰＣ）３０Ａと、チャリティオークションへの落札情報を送信する落札側端末（携帯電話）３０Ｂと、出品側端末３０Ａからの出品情報を保管し落札側端末３０Ｂに当該出品情報を提供すると共に、落札側端末３０Ｂからの落札（入札）情報を処理し当該落札結果を出品側端末３０Ａ及び落札側端末３０Ｂに提供してネットワーク５０上でチャリティオークションを行うオークションサーバ２０と、チャリティオークションへの出品及び落札に応じた決済処理を行う決済サーバ１０と、出品側端末３０Ａ、落札側端末３０Ｂ、オークションサーバ２０及び決済サーバ１０を通信可能に接続するインターネットやイントラネット等のコンピュータネットワーク５０と、出品側端末３０Ａ及び落札側端末３０Ｂをコンピュータネットワーク５０上で通信可能にするプロバイダ（通信キャリアを含む）４０Ａ，４０Ｂと、を備えている。
【００１９】
図２は、本発明のチャリティオークションシステムにおける決済サーバ１０の一形態を示す図である。図２において、電子決済サーバ１０は、コンピュータネットワーク５０との間の通信を制御する通信制御部１１と、ユーザの登録、口座開設、ユーザ名、ユーザ住所、ユーザ生年月日、パスワード、電子メールアドレスと該電子メールアドレスに紐付けされた口座番号などのユーザ情報を登録するユーザ登録部１２と、ユーザ情報を記憶するユーザ情報ＤＢ１３と、口座情報を記憶する口座ＤＢ１５と、口座ＤＢ１５に記憶されている口座情報に基づいて決済を行う決済処理部１４と、電子メールを作成し送受信する電子メール処理部１６と、を備えている。
【００２０】
ここで、決済処理部１４は、出品側端末及び／又は落札側端末からの口座登録要求に応じて口座登録を行い、落札側端末からの入金要求に応じて入金処理を行い、オークションサーバへ入金結果を通知する。
【００２１】
図３は、本発明のチャリティオークションシステムにおけるオークションサーバ２０の一形態を示す図である。図３において、オークションサーバ２０は、コンピュータネットワーク５０との間の通信を制御する通信制御部２１と、出品側端末からの出品要求に応じて出品者の会員登録の有無を確認し、会員未登録の場合には決済サーバへの口座登録の完了に応じて会員登録を許可し、会員登録者からの出品情報をチャリティオークションに登録して掲載し、且つ、落札側端末からの落札要求に応じて落札者の会員登録の有無を確認し、会員未登録の場合には決済サーバへの口座登録の完了に応じて会員登録を許可し、会員登録者からの落札情報をチャリティオークションに登録するオークション処理部２２と、オークション情報入力用Ｗｅｂページ、落札用Ｗｅｂページ、会員登録用Ｗｅｂページ、決済用Ｗｅｂページ（又は決済サーバリンク用Ｗｅｂページ）などのＷｅｂページを記憶するＷｅｂＤＢ２３と、出品情報や落札情報を記憶するオークション情報ＤＢ２４と、会員名、会員住所、会員生年月日、パスワード、電子メールアドレスなどの会員情報を記憶するユーザ情報ＤＢ２５と、オークション結果を落札側端末３０Ｂに通知し、決済サーバ１０からの入金情報に応じて出品側端末３０Ａにオークション結果を通知する電子メール処理部２６と、を備えている。
【００２２】
ここで、出品側端末３０Ａ及び落札側端末３０Ｂへの通知は、電子メールによって行う。出品情報の登録及び掲載はＷｅｂページによって行い、入金要求は入金用Ｗｅｂページによって行う。ここで、入金用Ｗｅｂページは、入金案内電子メールに当該ＷｅｂページのＵＲＬを記載することによって落札側端末３０Ｂに通知し、入金案内電子メールは、該当するオークションを特定するためのオークションＩＤを含み、オークションサーバ２０の電子メール処理部２６又は決済サーバ１０の電子メール処理部１６から落札側端末３０Ｂに送信される。
【００２３】
ここで、出品側端末３０Ａ及び落札側端末３０Ｂは、携帯電話、ＰＣ、または携帯通信機器、通信家電などのネットワーク５０に接続可能なものであればよい。
【００２４】
また、決済サーバ１０の決済処理部１４は、入金処理を、落札者の口座からオークションサーバ提供者の口座への入金によって行う。また、決済処理部１８は、出品側端末３０Ａ及び／又は落札側端末３０Ｂのユーザの電子メールアドレスに基づいて決済口座を特定し、決済処理を行うことができる。または落札者のクレジットカードによって、決済処理を行うようにしてもよい。
【００２５】
図４及び図５は、本発明の利用者獲得方法の処理を示すフローチャートである。図１〜図５において、オークションサーバ２０のオークション処理部２２は、出品側端末３０Ａに提供したＷｅｂページからの出品要求に応じて（ステップ４０１）、出品者のユーザ情報ＤＢ２５を参照して会員登録の有無を確認する（ステップ４０２）。
【００２６】
ここで、会員未登録の場合には、出品側端末３０Ａへ通知し、出品側端末３０Ａからオークションサーバ２０への会員登録要求に応じて、会員名、会員住所、会員生年月日、オークション用パスワード、電子メールアドレス、会員口座情報などの会員情報をユーザ情報ＤＢ２５に登録する（ステップ４０３）。このとき、口座情報を決済サーバ１０に送信し、決済サーバ１０のユーザ登録部１２が正しいかどうかを確認する。入力された口座情報が正しくない場合や口座情報がない場合には、決済サーバ１０のユーザ登録部１２で口座開設を行い、会員名、会員住所、会員生年月日、口座用パスワード、電子メールアドレス、電子メールアドレスと口座番号の紐付け情報、会員口座情報などをユーザ情報ＤＢ１３に登録する。
【００２７】
会員名、会員住所、会員生年月日、オークション用パスワード、電子メールアドレス、会員口座情報などの会員情報がユーザ情報ＤＢ２５に登録されたら（ステップ４０３）、会員登録者からの出品情報をオークション情報ＤＢ２５に登録してＷｅｂページ上でチャリティオークションのコンテンツを掲載する（ステップ４０４）。この出品情報のオークション情報ＤＢ２５への登録によって、出品した商品の実質的な所有権の移動（出品者からオークションサーバ２０への移動）が生じることとなる。
【００２８】
オークションサーバ２０のオークション処理部２２は、落札側端末３０Ｂに提供したＷｅｂページからの落札要求に応じて（ステップ４０５）、落札者のユーザ情報ＤＢ２５を参照して会員登録の有無を確認する（ステップ４０６）。
【００２９】
ここで、会員未登録の場合には、落札側端末３０Ａへ通知し、落札側端末３０Ａからオークションサーバ２０への会員登録要求に応じて、会員名、会員住所、会員生年月日、オークション用パスワード、電子メールアドレス、会員口座情報などの会員情報をユーザ情報ＤＢ２５に登録する（ステップ４０７）。このとき、口座情報を決済サーバ１０に送信し、決済サーバ１０のユーザ登録部１２が正しいかどうかを確認する。入力された口座情報が正しくない場合や口座情報がない場合には、決済サーバ１０のユーザ登録部１２で口座開設を行い、会員名、会員住所、会員生年月日、口座用パスワード、電子メールアドレス、電子メールアドレスと口座番号の紐付け情報、会員口座情報などをユーザ情報ＤＢ１３に登録する。
【００３０】
会員名、会員住所、会員生年月日、オークション用パスワード、電子メールアドレス、会員口座情報などの会員情報がユーザ情報ＤＢ２５に登録されたら（ステップ４０７）、会員登録者からの落札情報（入札額など）をチャリティオークションのＷｅｂページに登録する（ステップ４０８）。
【００３１】
落札期間の満了、落札上限額に達成などの終了条件が満たされるまで上記ステップ４０５〜ステップ４０８が繰り返される（ステップ４０９）。
【００３２】
落札者があれば（ステップ４１０）、その落札者の電子メールアドレス宛（落札側端末３０Ｂ）に落札通知の電子メールを送信する（ステップ４１１）。このとき、落札通知の電子メールには、該当するオークションを特定するためのオークションＩＤを含む。一方、落札者なしの場合には（ステップ４１０）、その旨を出品側端末３０Ａに電子メールで通知して（ステップ４１６）、当該出品のチャリティオークションは終了する。ここで、チャリティオークションの終了の替わりに、チャリティオークションの延長をすることができる。この場合、ステップ４０５からの処理が繰り返される。
【００３３】
オークション処理部２２は、落札通知の電子メールに添付したＵＲＬへの落札側端末３０Ｂからのアクセスによって、又は電子メール処理部２６で受信した落札確認の返信メールによって落札確認を行う（ステップ４１２）。落札確認がなければ（ステップ４１２）、その旨を出品側端末３０Ａに電子メールで通知して（ステップ４１６）、当該出品のチャリティオークションは終了する。なお、このステップ４１２の落札確認の処理は、任意の処理とすることができ、必須の処理ではない。
【００３４】
落札確認の通知を受け、オークション処理部２２は、電子メール処理部２６から落札者の電子メールアドレス宛（落札側端末３０Ｂ）に入金通知の電子メールを送信する（ステップ４１３）。電子メールには入金用のＷｅｂページのＵＲＬを記載しておく。
【００３５】
落札側端末３０から入金用のＷｅｂページにアクセスされ、決済サーバ１０の決済処理部１４は、落札側端末３０Ｂからの入金要求に応じて入金処理を行い、オークションサーバ２０へ入金結果を通知する（ステップ４１４、ステップ４１５）。一方、入金要求がない場合には（ステップ４１４）、その旨を出品側端末３０Ａに電子メールで通知して（ステップ４１６）、当該出品のチャリティオークションは終了する。ここで、落札者のクレジットカードによる決済処理をするようにしてもよい。
【００３６】
オークションサーバ２０のオークション処理部２２は、決済サーバ１０からの入金情報に応じて、出品側端末３０Ａに電子メール処理部２６から電子メールにてオークション結果を通知する（ステップ４１６）。出品者は、この電子メールを確認して、落札者に出品物を渡す。
【００３７】
ここで、ステップ４１５における入金処理は、落札者の口座からオークションサーバ提供者の口座への入金処理にする。
【００３８】
以上、本発明のチャリティオークションシステム及び利用者獲得方法について説明したが、上述したチャリティオークションシステム及び利用者獲得方法をコンピュータなどで実現・実行可能なプログラムとすることもできる。
【図面の簡単な説明】
【００３９】
【図１】本発明のチャリティオークションシステムの一例を示す図である。
【図２】本発明のオークションシステムにおける決済サーバの一例を示す図である。
【図３】本発明のオークションシステムにおけるオークションサーバの一例を示す図である。
【図４】本発明のオークションシステムによる利用者獲得方法の具体的な処理を示すフローチャートである。
【図５】本発明のオークションシステムによる利用者獲得方法の具体的な処理を示すフローチャートである。
【符号の説明】
【００４０】
１０  決済サーバ
１１  通信制御部
１２  ユーザ登録部
１３  ユーザ情報ＤＢ
１４  決済処理部
１５  口座ＤＢ
１６  電子メール処理部
２０  オークションサーバ
２１  通信制御部
２２  オークション処理部
２３  ＷｅｂＤＢ
２４  オークション情報ＤＢ
２５  ユーザ情報ＤＢ
２６  電子メール処理部
３０Ａ  ＰＣ（出品側端末）
３０Ｂ  携帯電話（落札側端末）
４０Ａ，４０Ｂ  プロバイダ
５０  ネットワーク
【図１】
2006202161.tif 000003
【図２】
2006202161.tif 000004
【図３】
2006202161.tif 000005
【図４】
2006202161.tif 000006
【図５】
2006202161.tif 000007